(57)【要約】【課題】特定の通信エリアにいる相手通信端末の中から自分が希望する相手と希望する方法で直接，ピアツーピアで通信することを可能とする。【解決手段】通信端末１および相手通信端末２が，キーワード，通信ルールをピアリングサーバ８へ登録し，通信端末１が通信エリア５へ移動した場合に，通信端末１の位置情報をピアリングサーバ８へ送信する。ピアリングサーバ８は，受信した通信端末１の位置情報に基づいて，通信端末１と同じ通信エリア５内にいる全ての相手通信端末のうち通信端末１が登録したキーワード群と最も合致度合いが高いキーワード群を登録した相手通信端末２を選択し，上記合致度合いに基づいて通信端末１と相手通信端末２との通信ルールを選択し，通信端末１と相手通信端末２に選択した通信ルールでピアツーピア通信を行うよう指示する。【選択図】    図１
2004312331.tif 000002
【特許請求の範囲】
【請求項１】
複数の移動可能な通信端末と，該通信端末を収容する通信網と，該通信網に接続するＩＰ網と，該ＩＰ網において前記通信端末間の通信接続制御を行うサーバとからなる情報通信システムにおける通信接続制御方法であって，
前記通信端末のそれぞれが，相手通信端末の選択に関する１つまたは複数のキーワードからなるキーワード群と，通信エリア情報と，相手通信端末との通信に用いる１つまたは複数の通信方法を示す通信ルールとを，前記サーバに登録するステップと，
前記通信端末が通信エリアを移動した場合に，前記通信網から前記サーバに該通信端末の位置情報を通知するステップと，
前記サーバが，受信した通信端末の位置情報と該通信端末が登録した通信エリア情報との整合性を調べ，該位置情報に合致する通信エリア内の相手通信端末群の中から該通信端末が登録したキーワード群に合致するキーワード群を登録した特定の相手通信端末を選択し，前記キーワード群が合致する度合いに応じて前記通信端末が登録した通信ルールの中から相手通信端末との通信方法を選択して，該通信端末と該相手通信端末との通信をピアツーピアで行わせるステップとを有する
ことを特徴とするピアツーピア通信接続制御方法。
【請求項２】
請求項１記載のピアツーピア通信接続制御方法において，
前記通信端末が登録する通信ルールは，何もしない，相手通信端末のプロファイルを受信する，相手通信端末へメールを送信する，相手通信端末とのチャット通信回線を開く，相手通信端末と音声通話接続を行うという通信方法のうちの少なくとも１つを含む通信方法群の中から通信方法を選択するルールである
ことを特徴とするピアツーピア通信接続制御方法。
【請求項３】
請求項１または請求項２記載のピアツーピア通信接続制御方法において，
前記サーバは，前記相手通信端末との通信方法を選択する場合に，当該相手通信端末が前記サーバに登録した通信ルールに従って通信方法を選択する
ことを特徴とするピアツーピア通信接続制御方法。
【請求項４】
請求項１から請求項３までのいずれか１項に記載のピアツーピア通信接続方法において，
前記サーバは，前記通信端末が設定したキーワード群と前記相手通信端末が設定したキーワード群とが合致する度合いを調べるとともに，該通信端末が設定した通信ルールと該相手通信端末が設定した通信ルールとが合致するか否かを調べ，合致した通信ルールに従ってピアツーピア通信を行わせる
ことを特徴とするピアツーピア通信接続制御方法。
【請求項５】
請求項１から請求項４までのいずれか１項に記載のピアツーピア通信接続方法において，
前記通信端末が登録する通信エリア情報は，相手通信端末と同一エリアであることを示す情報，または特定の属性を持つ通信エリアであることを示す情報を含む
ことを特徴とするピアツーピア通信接続制御方法。
【請求項６】
請求項１から請求項５までのいずれか１項に記載のピアツーピア通信接続制御方法において，
前記通信端末と前記特定の相手通信端末とのピアツーピア通信は，赤外線通信を含む
ことを特徴とするピアツーピア通信接続制御方法。
【請求項７】
通信網に収容される複数の移動可能な通信端末間の通信接続を可能とするための前記通信網に接続するＩＰ網における制御装置であって，
前記通信端末から受信した１つまたは複数のキーワードからなるキーワード群と，通信エリア情報と，相手通信端末との１つまたは複数の通信方法を示す通信ルールとを登録し，それらの情報を保持する手段と，
前記通信網から前記通信端末の位置情報を受信する手段と，
受信した通信端末の位置情報と該通信端末が登録した通信エリア情報との整合性を調べ，該位置情報に合致する通信エリア内の相手通信端末群の中から該通信端末が登録したキーワード群に合致するキーワード群を登録した特定の相手通信端末を探索する手段と，
前記キーワード群が合致する度合いに応じて前記通信端末が登録した通信ルールの中から前記特定の相手通信端末との通信方法を選択する手段と，
選択した通信方法により該通信端末と該相手通信端末との通信をピアツーピアで行わせる手段とを備える
ことを特徴とするピアツーピア通信接続制御装置。
【請求項８】
通信網に収容される複数の移動可能な通信端末間の通信接続を可能とするための前記通信網に接続するＩＰ網における通信接続制御装置のコンピュータに実行させるためのプログラムであって，
前記通信端末から受信した１つまたは複数のキーワードからなるキーワード群と，通信エリア情報と，相手通信端末との１つまたは複数の通信方法を示す通信ルールとを登録し，それらの情報を保持する処理と，
前記通信網から前記通信端末の位置情報を受信する処理と，
受信した通信端末の位置情報と該通信端末が登録した通信エリア情報との整合性を調べ，該位置情報に合致する通信エリア内の相手通信端末群の中から該通信端末が登録したキーワード群に合致するキーワード群を登録した特定の相手通信端末を探索する処理と，
前記キーワード群が合致する度合いに応じて前記通信端末が登録した通信ルールの中から相手通信端末との通信方法を選択する処理と，
選択した通信方法により該通信端末と前記特定の相手通信端末との通信をピアツーピアで行わせる処理とを，
コンピュータに実行させるためのピアツーピア通信接続制御プログラム。
【請求項９】
通信網に収容される複数の移動可能な通信端末間の通信接続を可能とするための前記通信網に接続するＩＰ網における通信接続制御装置のコンピュータに実行させるためのプログラムを記録した記録媒体であって，
前記通信端末から受信した１つまたは複数のキーワードからなるキーワード群と，通信エリア情報と，相手通信端末との１つまたは複数の通信方法を示す通信ルールとを登録し，それらの情報を保持する処理と，
前記通信網から前記通信端末の位置情報を受信する処理と，
受信した通信端末の位置情報と該通信端末が登録した通信エリア情報との整合性を調べ，該位置情報に合致する通信エリア内の相手通信端末群の中から該通信端末が登録したキーワード群に合致するキーワード群を登録した特定の相手通信端末を探索する処理と，
前記キーワード群が合致する度合いに応じて前記通信端末が登録した通信ルールの中から前記特定の相手通信端末との通信方法を選択する処理と，
選択した通信方法により該通信端末と該相手通信端末との通信をピアツーピアで行わせる処理とを，
コンピュータに実行させるためのプログラムを記録した
ことを特徴とするピアツーピア通信接続制御プログラムの記録媒体。
【発明の詳細な説明】
【０００１】
【発明の属する技術分野】
本発明は，通信接続制御技術に関し，特に，通信端末ユーザがユーザ自身と同じキーワードを登録した通信相手と希望する通信方法で直接通信することを可能とするピアツーピア通信接続制御方法に関する。
【０００２】
【従来の技術】
近年，ネットワークに接続されている通信端末が，互いに専用の通信サーバを介することなく，直接通信するピアツーピア通信が可能になっている。一方，通信端末ユーザの好みに合った情報をネットワークから提供する方法は，下記の特許文献１，特許文献２に示すように公知となっている。
【０００３】
特許文献１（「コミュニケーションシステムおよびコミュニケーション方法並びに記録媒体」）では，移動通信端末の通信情報からユーザの嗜好を自動的に抽出しておき，移動通信端末の位置情報，時間，嗜好などから予めセンターに登録されていた観光情報などのスポット情報を提供するか，ユーザ自身と時間，位置，嗜好の合った別のユーザへメッセージを提供する技術が記載されているが，相手通信端末と直接ピアツーピア通信をすることはできなかった。
【０００４】
また，特許文献２（「人物情報検索方法」）では，移動通信端末と同じ通信エリア内にいる他の通信端末の個人情報を得ることで人物を検索する方法が記載されているが，検索した相手通信端末と直接ピアツーピア通信をすることはできなかった。
【０００５】
特許文献１，２のいずれにおいても，キーワードおよび通信ルールに従って通信端末相互のピアツーピア通信を行うことには言及していない。また，従来のピアツーピア通信において，ユーザ自身が設定したキーワードや通信ルールにより相手を探して通信する方法は見当たらない。
【０００６】
【特許文献１】
特開２００１−２６５８０９号公報
【特許文献２】
特開２００２−２９７６１８号公報
【０００７】
【発明が解決しようとする課題】
上記のように従来の技術では，移動通信端末が位置情報などをもとに情報センターなどから情報を受け取る，または同一エリアにいる人物情報を得るなどの情報受信動作は可能であったが，情報送信動作を含め，相手通信端末と直接，通信をすることができなかった。
【０００８】
本発明の目的は，上記従来技術の問題点を解決し，特定のエリアにいる相手通信端末の中から自分が希望する相手と希望する方法で直接，ピアツーピアで通信することを実現するための手段を提供することにある。
【０００９】
【課題を解決するための手段】
本発明は，上記課題を解決するため，ユーザ端末の移動を契機として，通信接続のためのサーバに事前に登録されている該ユーザの登録キーワード群および通信ルールと合致率の高い他のユーザ端末を，移動先エリアで検索し，該ユーザ端末と検索されたユーザ端末との間のピアツーピア通信を指示する手段を備え，自動的に興味の対象が同じユーザの端末を探し出してピアツーピア通信を行えるようにする。
【００１０】
詳しくは，本発明は，移動可能な通信端末と，該通信端末を収容する通信網と，該通信網に接続するＩＰ（Ｉｎｔｅｒｎｅｔ  Ｐｒｏｔｏｃｏｌ）  網と，該ＩＰ網において前記通信端末間の通信接続制御を行うサーバ（以下，このサーバを「ピアリングサーバ」という）とからなる情報通信システムにおいて，通信端末は予め前記ピアリングサーバに，相手通信端末の選択に関する１つまたは複数のキーワード群と，通信エリア情報と，相手通信端末との１つまたは複数の通信方法を示す通信ルールとを登録しておき，通信端末が通信エリアを移動した場合に，前記通信網はＩＰ網のピアリングサーバに該通信端末の位置情報を知らせ，該ピアリングサーバは，受信した位置情報と該通信端末が登録した通信エリア情報との整合を行い，合致した場合には，同一通信エリア内の相手通信端末群の中から該通信端末が登録したキーワード群に合致する特定の相手通信端末を探し，キーワード群が合致する度合いにより通信端末が登録した通信ルールの中から相手通信端末との通信方法を選択して，該通信端末と相手通信端末との通信をピアツーピアで行わせることを特徴とする。
【００１１】
また，通信端末が登録する通信ルールは，何もしない，相手通信端末のプロファイルを受信する，相手通信端末へメールを送信する，相手通信端末とのチャット通信回線を開く，相手通信端末と音声通話接続を行うことを含むことを特徴とする。さらに，相手通信端末が設定した通信ルールに従って通信方法を選択することも可能とすることを特徴とする。
【００１２】
また，通信端末が設定したキーワード群と相手通信端末が設定したキーワード群との合致度合いに加えて通信端末が設定した通信ルールと相手通信端末が設定した通信ルールとが合致した場合に該通信ルールで相互の通信を可能とすることを特徴とする。
【００１３】
さらに，移動可能な通信端末と該通信端末を収容する通信網と該通信網に接続するＩＰ網と該ＩＰ網におけるピアリングサーバとからなる情報通信システムにおいて，ピアリングサーバは，通信端末からの１つまたは複数のキーワード群と，通信エリア情報と，相手通信端末との１つまたは複数の通信方法を示す通信ルールとを登録，保持する手段と，前記通信網から通信端末の位置情報を受信する手段と，受信した位置情報と該通信端末が登録した通信エリア情報との整合性を調べる手段と，通信端末と同一通信エリア内に存在する相手通信端末群の中から該通信端末が登録したキーワード群に合致する特定の相手通信端末を探索する手段と，前記キーワード群が合致する度合いにより相手通信端末との通信方法を該通信端末が登録した通信ルールに基づき選択する手段と，選択した通信方法により該通信端末と選択した相手通信端末との通信をピアツーピアで行わせる手段とを持つことを特徴とする。
【００１４】
また，通信端末が登録する通信エリア情報は，相手通信端末と同一エリアであること，および特定の属性を持つ通信エリアであることを含むことを特徴とする。さらに，通信網は赤外線通信網を含むことを特徴とする。
【００１５】
また，ピアリングサーバが持つ各機能をプログラムにより実現することを特徴とする。
【００１６】
【発明の実施の形態】
以下，本発明の実施の形態を図を用いて説明する。図１は，本発明に係わるシステム構成および基本的な動作の一例を示す図である。１，１−１，１−２は通信端末，２および３は相手通信端末，４は通信網，５，６は通信端末１が移動した通信エリア，７はＩＰ網，８はピアリングサーバである。
【００１７】
通信端末１と通信端末１−１，１−２とは同一の通信端末であり，通信端末１−１は通信端末１が通信エリア５へ移動後の通信端末，通信端末１−２は通信端末１が通信エリア６へ移動後の通信端末を表している。以降，通信端末１−１および通信端末１−２は，通信端末１として説明する。
【００１８】
ピアリングサーバ８は，個人が所有する通信端末同士をピア接続，すなわちサーバを介さずに直接接続することを実現するための事前準備（設定）を行うコンピュータ装置であり，このため，キーワードを登録するための通信，マッチング結果を通知するための通信，相手からの情報を受信する通信といった通信セッション制御を行う機能と，個人の設定しておいたキーワードの保持および通信ルールを解釈して個人（通信端末）と個人（相手通信端末）とを結び付けるマッチング処理を行う機能を併せ持つ。
【００１９】
まず，通信端末１および相手通信端末２（相手通信端末３も同様）は，予めキーワード，通信ルールをピアリングサーバ８へ登録しておく（Ｆ−１，Ｆ−２）。次に，通信端末１が通信エリア５へ移動すると（Ｆ−３），通信端末１の位置情報を通信網４経由でＩＰ網７のピアリングサーバ８へ報告する（Ｆ−４）。ピアリングサーバ８は，受信した位置情報から，通信端末１と同じ通信エリア５内にいる全ての相手通信端末を選択し，該相手通信端末が各々登録したキーワード群と通信端末１が登録したキーワード群との整合を行い，最も整合する相手通信端末２を選択し，通信端末１が登録した通信ルールの中からキーワード群が一致した度合いにより通信方法の１つを選択し（Ｆ−５），通信端末１と相手通信端末２にそれぞれ指示を出してピアツーピア通信を行わせる（Ｆ−６）。
【００２０】
すなわち，本発明によれば，キーワード群，通信ルールを自由に登録したり，変更したりすることによって，自分が希望する相手を容易に探し，直接通信することができる利点がある。また通信手段として赤外線通信を用いれば，さらに狭い通信エリア，例えば劇場や博物館などの中にいる自分と同じ趣味の相手などを探し出して通信することができる利点がある。
【００２１】
図２は，本発明に係わるピアリングサーバの構成の一例を示す図である。図２において，８０は通信端末登録テーブル，８１は通信端末情報登録手段，８２は位置情報受信手段，８３は通信端末情報検索手段，８４は相手通信端末選択手段，８５は通信ルール選択手段，８６は通信指示手段である。
【００２２】
通信端末情報登録手段８１は，通信端末１や相手通信端末２その他の複数の通信端末からそれぞれ受信したキーワード群，通信ルールを含む通信端末情報を，各通信端末を一意に識別する端末番号とともに，通信端末登録テーブル８０に登録する。
【００２３】
位置情報受信手段８２は，通信網４から通信端末１の位置情報を受信すると，通信端末情報検索手段８３にそれを通知する。通信端末情報検索手段８３は，受信した通信端末１の位置情報に基づいて通信端末登録テーブル８０を検索する。相手通信端末選択手段８４は，通信端末情報検索手段８３による検索結果に基づいて，通信端末１と同一の通信エリア内の相手通信端末のうち，通信端末１が通信端末登録テーブル８０に登録したキーワード群と合致する度合いが最も高いキーワード群を登録している相手通信端末２を選択する。
【００２４】
また，通信ルール選択手段８５は，上記通信端末１が登録したキーワード群と相手通信端末２が登録したキーワード群とが合致する度合いに基づいて，通信端末１が通信端末登録テーブル８０に登録した通信ルールの中から相手通信端末２の通信ルールと合致するものを選択し，その通信ルールで指定された通信方法を選択する。また，通信指示手段８６は，選択された通信方法に基づくピアツーピア通信を通信端末１と相手通信端末２とに指示する。
【００２５】
本発明の第１の実施の形態におけるピアリングサーバ８の詳細な動作例を図３および図４を用いて説明する。
【００２６】
図３は，ピアリングサーバ８が管理する通信端末登録テーブルの例を示す。図３（Ａ）に示す通信端末登録テーブル８０Ａ（以下，単に登録テーブルという）は，通信端末１の登録テーブルであり，例えば通信端末１の端末番号，エリア情報，キーワード群，通信ルールのフィールドから構成される。図３（Ｂ）に示す登録テーブル８０Ｂは，相手通信端末２の登録テーブルであり，例えば，相手通信端末２の端末番号，エリア情報，キーワード，通信ルールのフィールドから構成される。また，図３（Ｃ）に示す登録テーブル８０Ｃは，相手通信端末３の登録テーブルであり，フィールド構成は図３（Ａ）等の前述した登録テーブルと同様である。
【００２７】
通信端末１の登録テーブル８０Ａに登録されたＮ−１は，通信端末１の端末番号，Ｐ−１は，「相手通信端末が通信端末１と同一通信エリアである必要がある」ことを示す通信エリア条件のエリア情報である。Ｋ−ｎ（ｎ＝１，２，３‥）はキーワード群であり，これには，例えばＫ−１は「野球」，Ｋ−２は「阪神タイガース」，Ｋ−３は「読書」，Ｋ−４は「テニス」，Ｋ−５は「ゴルフ」という情報が登録されている。
【００２８】
また，登録テーブル８０Ａに登録された通信ルールＲ−１は，「キーワード群が８０％以上一致したらピアツーピアの音声通信回線を設定する」，通信ルールＲ−２は，「キーワード群の一致が６０％以上８０％未満であればピアツーピアのチャット通信回線を設定する」，通信ルールＲ−３は，「キーワード群の一致が４０％以上６０％未満ならメール送信可能とする」，通信ルールＲ−４は，「キーワード群の一致が２０％以上４０％未満なら相手通信端末２が登録したキーワード群を受信する」，通信ルールＲ−５は，「キーワード群の一致が２０％未満なら何もしない」，という通信ルールである。
【００２９】
ここで，相手通信端末との通信ルールの一致度については，条件が厳しい上位の通信ルールで指定された内容に，条件が緩くなる下位の通信ルールで指定された内容が含まれるものとする。すなわち，例えば上記の通信ルールＲ−１の場合，キーワード群が８０％以上一致した場合のアクションとして，「ピアツーピアの音声通信回線を設定する」以外に，下位の通信ルールで指定された「ピアツーピアのチャット通信回線を設定する」，「メール送信可能とする」および「相手通信端末２が登録したキーワード群を受信する」というアクションを取り得るものとする。
【００３０】
また，図３（Ｂ）に示す相手通信端末２の登録テーブル８０Ｂに登録されたＰ１１は，「通信相手が同一通信エリアである必要がある」ことを示す通信エリア条件であり，Ｋ−１１は「野球」，Ｋ−１２は「阪神タイガース」，Ｋ−１３は「読書」，Ｋ−１４は「映画」，Ｋ−１５は「ゴルフ」というキーワードである。また，通信ルールＲ−１１は，「キーワード群が５０％以上一致したらピアツーピアのチャット回線を開く」，Ｒ−１２は，「キーワード群の一致が５０％未満なら何もしない」，という通信ルールである。なお，通信端末１や相手通信端末２等からのピアリングサーバ８へのキーワード群，通信ルール等の登録方法は，既知の技術により容易に実現できるため説明は省略する。
【００３１】
図４は，ピアリングサーバ８における動作フローの一例を示す図である。今，通信端末１が相手通信端末２と同一通信エリア５に入ったとすると，通信端末１は，位置情報を通信網４経由でピアリングサーバ８へ送る。ピアリングサーバ８は，位置情報受信手段８２によって通信端末１の位置情報を受信し（ステップＳ１），受信した位置情報に含まれる通信端末番号（Ｎ−１）を検出する（ステップＳ２）。
【００３２】
次に，通信端末情報検索手段８３により，通信端末番号Ｎ−１の通信端末１の登録テーブル８０Ａに，受信した位置情報に該当する通信エリア情報が登録されているかを調べる（ステップＳ３）。受信した位置情報に該当する通信エリア情報（Ｐ−１）が登録されていれば，他の通信端末の登録テーブル８０から同じ通信エリアに存在する全ての相手通信端末を抽出する（ステップＳ４）。また，登録されていなければ処理を終了する。
【００３３】
ステップＳ４で，いくつかの相手通信端末を抽出したとすると，その抽出した相手通信端末のすべての登録テーブル８０を検索し，通信端末番号Ｎ−１の通信端末１の登録テーブル８０Ａのキーワード群（Ｋ−１，Ｋ−２，Ｋ−３，Ｋ−４，Ｋ−５）と抽出した相手通信端末の登録テーブル８０のキーワード群とが合致する度合いを調べ，最も合致度合いの高いキーワード群を持つ相手通信端末の登録テーブル８０を選定する（ステップＳ５）。この例では，相手通信端末２の登録テーブル８０Ｂが選定されたとする。
【００３４】
図３（Ａ）に示す通信端末１の登録テーブル８０Ａのキーワード群（Ｋ−１〜Ｋ−５）と図３（Ｂ）に示す相手通信端末２の登録テーブル８０Ｂのキーワード群（Ｋ−１１〜Ｋ−１５）との合致度合いは，Ｋ−１とＫ−１１（野球），Ｋ−２とＫ−１２（阪神タイガース），Ｋ−３とＫ−１３（読書），Ｋ−５とＫ−１５（ゴルフ）が一致しているので８０％の一致となる。
【００３５】
次に，合致度合いによる通信ルールを調べる（ステップＳ６）。通信端末１の登録テーブル８０Ａにおける通信ルールＲ−１では「キーワード群が８０％以上一致したらピアツーピアの音声通信回線を設定する」となっているが，相手通信端末２の登録テーブル８０Ｂでは「ピアツーピアの音声通信回線を設定する」という通信方法を選択する通信ルールはない。そこで，通信端末１側の条件の緩い通信ルールＲ−２が調べられる。この通信ルールＲ−２では「キーワード群の一致が６０％以上８０％未満ならピアツーピアのチャット回線を開く」となっており，また相手通信端末２の登録テーブル８０Ｂの通信ルールＲ−１１も「キーワード群の一致が５０％以上ならピアツーピアのチャット回線を開く」となっているので，この通信ルールが合致する。
【００３６】
そこで，ピアリングサーバ８は，合致した通信ルールに基づく通信指示を行う（ステップＳ７）。具体的には，通信端末１には，相手通信端末２に向けてチャット要求を出すように指示し，また相手通信端末２には，通信端末１からのチャット要求が来たら応答するように指示を出し，通信端末１と相手通信端末２との間でチャット通信が可能となるようにする。
【００３７】
すなわち本発明によれば，街中を歩くなど，不特定の大勢の人が集まる空間で，同じような趣味の相手を容易に探して通信する，またはピアツーピア通信により直接会話することができるようになるという利点がある。
【００３８】
同様に図１および図３を用いて本発明の第２の実施の形態を説明する。本発明の第２の実施の形態においてもピアリングサーバ８の基本的な動作は第１の実施の形態と同様である。図１において，１−２は通信端末１が通信エリア６へ移動したときの通信端末であり通信端末１と同一である（以降，通信端末１として説明する）。６は展示会場などの通信エリア，３は相手通信端末である。
【００３９】
また，図３（Ａ）の通信端末１の登録テーブル８０Ａに登録されたＰ−２は展示会場などのエリア属性を示すエリア情報，キーワード群のＫ−６は「ＶＯＩＰ」，Ｋ−７は「Ｈ３２３」，Ｋ−８は「ＳＩＰ」であり，通信ルールとしてＲ−５には「キーワード群の合致度が６０％以上なら音声通話」，Ｒ−６には「キーワード群の合致度が６０％未満なら何もしない」というルールが設定されているとする。
【００４０】
また，図３（Ｃ）に示す相手通信端末３の登録テーブル８０Ｃに登録されたＮ−３は相手通信端末３の端末番号，Ｐ−２２は展示会場などのエリア属性を示すエリア情報，キーワード群のＫ−２１は「ＶＯＩＰルータ」，Ｋ−２２は「ＳＩＰサーバー」，Ｋ−２３は「Ｈ３２３端末」であり，通信ルールとしてＲ−２１には「キーワード群の合致度が３０％以上なら音声通話」，Ｒ−２２には「キーワード群の合致度が３０％未満なら何もしない」というルールが設定されているとする。
【００４１】
図１に示すように，今，通信端末１が展示場の通信エリア６へ移動すると（Ｆ−７），通信端末１の位置情報が通信網４経由でピアリングサーバ８へ通知される。ピアリングサーバ８では，通信端末１の登録テーブル８０Ａのエリア情報Ｐ−２が展示会場エリアを示す属性であることから，展示会場エリア属性でかつキーワード群Ｋ−６，Ｋ−７，Ｋ−８と合致するキーワード群を持つ相手通信端末を検索し，相手通信端末３を選定する。
【００４２】
この例では，Ｋ−６（ＶＯＩＰ）とＫ−２１（ＶＯＩＰルータ），Ｋ−７（ＳＩＰ）とＫ−２２（ＳＩＰサーバー），Ｋ−８（Ｈ３２３）とＫ−２３（Ｈ３２３端末）のように，通信端末１の登録テーブル８０Ａにおけるキーワード群と相手通信端末３の登録テーブル８０Ｃにおけるキーワード群とが１００％の合致度であるため，ピアリングサーバ８は，通信端末１には，相手通信端末３に向けて音声通信要求を出すように指示し，また相手通信端末３には，通信端末１からの音声通信要求が来たら応答するように指示を出しピアツーピア音声通信（Ｆ−８）を可能とする。
【００４３】
すなわち本発明によれば，通信端末１のユーザは，キーワード群として投入した通信プロトコルの製品に関する情報を相手通信端末３のユーザと直接会話することで手に入れることができ，また，相手通信端末３のユーザの案内で直接製品が展示されている場所へ行くこともでき，展示会場などで効率的な調査ができるようになるという利点がある。
【００４４】
以上の実施の形態において，通信端末１，相手通信端末３間の通信に赤外線通信を用いることもできる。赤外線通信を用いることにより，狭いエリア内での通信に限定した通信を行うことができる。なお，通信端末１を収容する通信網４の基地局に相当する設備と通信端末１との間の通信に，赤外線通信を採用するような実施も可能である。
【００４５】
以上のピアリングサーバ８が行う処理は，コンピュータとソフトウェアプログラムとによって実現することができ，そのプログラムをコンピュータ読み取り可能な記録媒体に記録して提供することも，ネットワークを通して提供することも可能である。
【００４６】
【発明の効果】
本発明によれば，キーワード群，通信ルールを自由に登録したり，変更したりすることによって，自分が希望する相手を容易に探し，通信することができる利点がある。また通信端末同士の直接通信に際して赤外線通信を用いれば，さらに狭い通信エリア，例えば劇場や博物館などの中にいる自分と同じ興味を持つ相手との通信が可能であるという利点がある。
【００４７】
また，大勢の人が集まる空間で，同じような趣味の相手を容易に探して通信するまたはピアツーピア通信により打ち合わせして直接会うことができる利点がある。また展示会場などでは，キーワード群として投入した通信プロトコルの製品に関する情報を相手ユーザと直接会話することで手に入れることができ，また，相手ユーザの案内で直接製品が展示されている場所へ行くこともでき，展示会場などで効率的な調査ができるようになるという利点がある。
【図面の簡単な説明】
【図１】本発明に係わるシステム構成および基本的な動作の一例を示す図である。
【図２】ピアリングサーバの構成の一例を示す図である。
【図３】通信端末登録テーブルの例を示す図である。
【図４】ピアリングサーバにおける動作フローの一例を示す図である。
【符号の説明】
１，１−１，１−２  通信端末
２，３  相手通信端末
４      通信網
５，６  通信エリア
７    ＩＰ網
８    ピアリングサーバ
８０  通信端末登録テーブル
８１  通信端末情報登録手段
８２  位置情報受信手段
８３  通信端末情報検索手段
８４  相手通信端末選択手段
８５  通信ルール選択手段
８６  通信指示手段
【図１】
2004312331.tif 000003
【図２】
2004312331.tif 000004
【図３】
2004312331.tif 000005
【図４】
2004312331.tif 000006